(57)【要約】【課題】防犯フェンスの任意の位置に容易に取り付けられ、レジカウンターの上部空間を有効利用できるレジカウンターにおけるカードリーダ取付装置を提供すること。【解決手段】カードリーダ取付装置６が、レジカウンターの外周部の一部を囲繞するように立設して取付けられた防犯フェンス４ａの内面に沿う背板１０と、この背板１０から前方に突出するカードリーダ支持部８とで構成され、背板１０の上部に防犯フェンス４ａの上端と浮いた状態で係合する係合部１２を形成すると共に、背板１０下部にレジカウンター１の天板２にカードリーダ取付装置６の自重を載置するための荷重支持部１７を形成することにより、レジカウンターの上部空間を有効利用して、防犯フェンスの任意の位置にカードリーダ取付装置６を容易に取り付けることができるようにした。【選択図】　図３
2004049645.tif 000002
【特許請求の範囲】
【請求項１】
板状の防犯フェンスを備えたレジカウンターにおけるカードリーダ取付装置であって、前記防犯フェンスはレジカウンターの外周部の一部を囲繞するものであり、前記カードリーダ取付装置は、前記防犯フェンス内面に沿う背板と、該背板から前方に突出するカードリーダ支持部とで構成され、前記背板上部には前記防犯フェンス上端と係合する係合部が、前記背板下部には前記レジカウンターの天板に載置される荷重支持部が形成されていることを特徴とするレジカウンターにおけるカードリーダ取付装置。
【請求項２】
前記背板はその左右両側に前方に延設する補強片を有している請求項１に記載のレジカウンターにおけるカードリーダ取付装置。
ーダ取付装置。
【請求項３】
前記カードリーダ支持部は、カードリーダを載置するカードリーダプレートを有し、該カードリーダプレートは左右両側と前側とから上方に延設された落下防止片を備えている請求項１または２に記載のレジカウンターにおけるカードリーダ取付装置。
【請求項４】
前記カードリーダプレートの底面に配線挿通孔を設けた請求項３に記載のレジカウンターにおけるカードリーダ取付装置。
【請求項５】
前記荷重支持部は、前記防犯フェンスと前記レジカウンター間の隙間に差し込まれる差込片と、前記レジカウンターの天板に当接する載置片とで構成されている請求項１ないし４の何れかに記載のレジカウンターにおけるカードリーダ取付装置。
【請求項６】
前記防犯フェンスは前記レジカウンターの正面または側面またはその両方の面を囲繞するものである請求項１ないし５の何れかに記載のレジカウンターにおけるカードリーダ取付装置。
【発明の詳細な説明】
【０００１】
【発明の属する技術分野】
本発明は、板状の防犯フェンスを備えたレジカウンターにおけるカードリーダ取付装置に関する。
【０００２】
【従来の技術】
図４は、従来の防犯フェンスを備えたレジカウンターの正面図であり、レジカウンター０１の天板０２上にキャッシャー０３が載置されている。０４ａは正面側防犯フェンスであり、０４ｂは側面側防犯フェンスでアクリルパネルから成り、キャッシャー０３より高く張り巡らし、カウンター越しにキャッシャー０３から現金を盗み取られないようにしている。
【０００３】
【発明が解決しようとする課題】
しかしながら、従来の防犯フェンスは盗難防止機能は有しているもののそれ以外の目的には殆ど利用されておらず、図４に示すように、メモ用のクリップ０５が取り付けられている程度であった。
【０００４】
一方、近年において、デパートやスーパで顧客が商品を購入する際に、メンバーズカードをカードリーダで読み込んで、顧客に種々の特典を与えるセールスシステムが流行っており、このカードリーダは商品購入時に使うので、キャッシャーと隣接した位置にあると便利であるが、レジカウンターは殆どキャッシャーで占められているから、レジカウンターを広げるようにするか、レジカウンターの近くにカードリーダ取付装置を設けるしかなかった。
【０００５】
本発明は上記課題を解決するためになされたもので、防犯フェンスの任意の位置に容易に取り付けられ、レジカウンターの上部空間を有効利用できるレジカウンターにおけるカードリーダ取付装置を提供することを目的としている。
【０００６】
【課題を解決するための手段】
上記目的を達成するために、本発明のレジカウンターにおけるカードリーダ取付装置は、板状の防犯フェンスを備えたレジカウンターにおけるカードリーダ取付装置であって、前記防犯フェンスはレジカウンターの外周部の一部を囲繞するものであり、前記カードリーダ取付装置は、前記防犯フェンス内面に沿う背板と、該背板から前方に突出するカードリーダ支持部とで構成され、前記背板上部には前記防犯フェンス上端と係合する係合部が、前記背板下部には前記レジカウンターの天板に載置される荷重支持部が形成されていることを特徴としている。
この特徴によれば、背板上部の係合部によりカードリーダ取付装置を防犯フェンスの任意の位置に容易に取り付けることができ、しかもレジカウンターの上部空間を有効利用することができる。また、キャッシャーの近傍にカードリーダ取付装置があるので、レジ受付をしながらカードリーダの使用が可能である。
【０００７】
上記レジカウンターにおけるカードリーダ取付装置において、前記背板はその左右両側に前方に延設する補強片を有しているのが好ましい。
このようにすると、たとえ背板が薄い板体であっても、屈曲変形し難いので、カードリーダを安定した状態で使用できる。
【０００８】
上記レジカウンターにおけるカードリーダ取付装置において、前記カードリーダ支持部は、カードリーダを載置するカードリーダプレートを有し、該カードリーダプレートは左右両側と前側とから上方に延設された落下防止片を備えていることが好ましい。
このようにすると、カードリーダをカードリーダプレートに載置した際に落下が防止される。
【０００９】
上記レジカウンターにおけるカードリーダ取付装置において、前記カードリーダプレートの底面に配線挿通孔を設けることが好ましい。
このようにすると、カードリーダ用の配線コードを配線挿通孔を通して配線することで、配線処理を容易に行うことができる。
【００１０】
上記レジカウンターにおけるカードリーダ取付装置において、前記荷重支持部は、前記防犯フェンスと前記レジカウンター間の隙間に差し込まれる差込片と、前記レジカウンターの天板に当接する載置片とで構成されていることが好ましい。
このようにすると、カードリーダ取付装置の荷重が防犯フェンス側に掛かることなく丈夫なレジカウンター側に掛かるので、防犯フェンスに余分な負荷を掛けなくてすむ。
【００１１】
上記レジカウンターにおけるカードリーダ取付装置において、前記防犯フェンスは前記レジカウンターの正面または側面またはその両方の面を囲繞するものであることが好ましい。
このようにすると、カウンター越しにキャッシャーから現金が盗み取られないようにキャッシャーとの位置関係で防犯フェンスを設けることができ、それに応じて、カードリーダ取付装置の設置場所を最適な位置に選択できる。
【００１２】
【発明の実施の形態】
以下、本発明の実施例を図面に基づいて図１〜図３を参照して説明する。図１はレジカウンターの全体図を示し（ａ）はレジカウンターの正面図、（ｂ）はレジカウンターの側面図、図２はカードリーダ取付装置の全体側面図であり、図３はカードリーダ取付装置の全体斜視図である。
【００１３】
先ず、図１に示す１はレジカウンターを示しており、このレジカウンター１は、上部にキャッシャー３等を載置するための天板２が設けられており、天板２上の向い側正面ないし片側面には、例えばアクリル製の不透明なスモーク色で矩形のパネル状に形成された防犯フェンス４ａ、４ｂが、天板２上の向い側正面ないし片側面の端面に対し僅かな隙間Ｙ（図２）を形成した状態で立設させてレジカウンター１の正面または側面を囲繞するように高く張り巡らし、カウンター越しにキャッシャー３から現金等を盗られないように考慮されている。
【００１４】
また、天板２の向かい側正面の防犯フェンス４ａ側には、図１（ｂ）に示すように、キャッシャー３の配線を電源に接続させるために挿通する配線挿通口２ａが形成されている。
【００１５】
図２及び図３に示す符号６はカードリーダ取付装置を示し、このカードリーダ取付装置６は、防犯フェンス４ａの内面に沿う背板１０と、この背板１０から前方に突出するカードリーダ支持部８とで構成されている。
【００１６】
詳しくは、背板１０の上部には防犯フェンス４ａの上端と係合すべく下方に向けて開口する断面コ字形の係合部１２が形成されると共に、背板１０の下部にはレジカウンター１の天板２上の側端縁に載置される荷重支持部１７が設けられている。そして、背板１０にはその左右両側に前方に延設する補強片１０ａ、１０ｂが折曲形成されている。
【００１７】
詳しくは、カードリーダ支持部８は、カードリーダＣＲを載置するカードリーダプレート１４を有しており、このカードリーダプレート１４の後方にはカードリーダＣＲの配線を通過させるための配線挿通孔１６が形成されると共に、カードリーダプレート１４の左右両側縁と前端縁には、上方に延設した落下防止片１４ａ、１４ｂないし１４ｃを備えている。
【００１８】
前述したカードリーダ取付装置６の背板１０下部の荷重支持部１７は、防犯フェンス４ａ、４ｂとレジカウンター１とで形成される隙間Ｙを有する差込部２２に差し込まれる差込片２０と、レジカウンター１の天板２に当接する載置片１８とで構成されている。
【００１９】
次に、上記のように構成されたカードリーダ取付装置の取付け手順に付き説明する。
【００２０】
先ず、レジカウンター１の天板２の向い側正面ないし片側面には防犯フェンス４ａ、４ｂが予め取付けられており、天板２上の所定位置にキャッシャー３を載置することで、キャッシャー３の周囲は高く張り巡らされた防犯フェンス４ａ、４ｂにより囲繞される。
【００２１】
次いで、カードリーダＣＲを所望の位置に設置するために、カードリーダ取付装置６が防犯フェンス４ａ、４ｂを利用して取付けられることになる。このカードリーダ取付装置６の取り付けに際し、図１、図２に示すように、このカードリーダ取付装置６の背板１０を、防犯フェンス４ａの内側に接触させた状態で下降させて、荷重支持部１７の載置片１８が天板２に当接するまで差込片２０を隙間Ｙに差し込む。
【００２２】
そこで、載置片１８が天板２に当接した状態で、背板１０上部の断面コ字形に形成された係合部１２が防犯フェンス４ａの上端に係合する。係合部１２が係合した状態では防犯フェンス４ａの上端から係合部１２が浮き上がり、防犯フェンス４ａの上端に対し隙間Ｘ（図２）が形成されるので係合部１２には直接自重が作用しない状態で防犯フェンス４ａにカードリーダ取付装置６が保持される。
【００２３】
このように、カードリーダ取付装置６は、取付けるための取付具を一切持たずに、防犯フェンス４ａに沿って安定状態で保持することができ、カードリーダ取付装置６が保持されると、そのカードリーダプレート１４上にカードリーダＣＲが載置され、その配線コード２４は配線挿通孔１６を通してレジカウンター１の電源に接続される。
【００２４】
従って、上記のように構成されたカードリーダ取付装置６は、レジカウンター１の防犯フェンス４ａ又は４ａの任意の位置に容易に取り付けることができ、しかもレジカウンター１の上部空間を有効利用することができる。また、キャッシャー３の近傍にカードリーダ取付装置６があるので、レジ受付をしながらカードリーダＣＲの使用が可能である。
【００２５】
また、背板１０は、その左右両側に前方に延設する補強片１０ａ、１０ｂを有しているので、たとえ背板１０が薄い板体であっても屈曲変形し難く、カードリーダを安定した状態で使用できる。
【００２６】
更に、カードリーダプレート１４は、左右両側と前側とから上方に延設された落下防止片１４ａ、１４ｂないし１４ｃを備えているので、カードリーダＣＲをカードリーダプレート１４に載置した際に落下が防止される。
【００２７】
そして、カードリーダプレート１４の底面には配線挿通孔１６が設けてあるので、この配線挿通孔１６にカードリーダ用の配線コード２４を通して配線することで、配線処理を容易に行うことができる。
【００２８】
そしてまた、荷重支持部１７は、防犯フェンス４ａとレジカウンター１間の差込部２２に差し込まれる差込片２０と、レジカウンター１の天板２に当接する載置片１８とで構成されているので、カードリーダ取付装置６の荷重が防犯フェンス４ａ側に掛かることなく丈夫なレジカウンター１側に掛かるので、防犯フェンス４ａの余分な負荷を掛けなくてすむ。
【００２９】
更に加えて、防犯フェンス４ａ、４ｂが、レジカウンター１の正面または側面、またはその両方の面を囲繞する構成となっているので、カウンター越しにキャッシャー３から現金等が盗られないようにキャッシャー３との位置関係で防犯フェンス４ａ、４ｂを設けることができ、それに応じて、カードリーダ取付装置６の設置場所を最適な位置に選択することができる。
【００３０】
【発明の効果】
本発明は以下の効果を奏する。
【００３１】
（ａ）請求項１項の発明によれば、背板上部の係合部によりカードリーダ取付装置を防犯フェンスの任意の位置に容易に取り付けることができ、しかもレジカウンターの上部空間を有効利用することができる。また、キャッシャーの近傍にカードリーダ取付装置があるので、レジ受付をしながらカードリーダの使用が可能である。
【００３２】
（ｂ）請求項２項の発明によれば、たとえ背板が薄い板体であっても、屈曲変形し難いので、カードリーダを安定した状態で使用できる。
【００３３】
（ｃ）請求項３項の発明によれば、カードリーダをカードリーダプレートに載置した際に落下が防止される。
【００３４】
（ｄ）請求項４項の発明によれば、カードリーダ用の配線コードを配線挿通孔を通して配線することで、配線処理を容易に行うことができる。
【００３５】
（ｅ）請求項５項の発明によれば、カードリーダ取付装置の荷重が防犯フェンス側に掛かることなく丈夫なレジカウンター側に掛かるので、防犯フェンスに余分な負荷を掛けなくてすむ。
【００３６】
（ｆ）請求項６項の発明によれば、カウンター越しにキャッシャーから現金が盗み取られないようにキャッシャーとの位置関係で防犯フェンスを設けることができ、それに応じて、カードリーダ取付装置の設置場所を最適な位置に選択できる。
【図面の簡単な説明】
【図１】レジカウンターの全体図を示し（ａ）はレジカウンターの正面図、（ｂ）はレジカウンターの側面図である。
【図２】カードリーダ取付装置の全体側面図である。
【図３】カードリーダ取付装置の全体斜視図である。
【図４】従来の防犯フェンスを備えたレジカウンターの正面図である。
【符号の説明】
１　　　　　　　　　　　レジカウンター
２　　　　　　　　　　　天板
２ａ　　　　　　　　　　配線挿通口
３　　　　　　　　　　　キャッシャー
４ａ、４ｂ　　　　　　　防犯フェンス
６　　　　　　　　　　　カードリーダ取付装置
８　　　　　　　　　　　カードリーダ支持部
１０　　　　　　　　　　背板
１０ａ、１０ｂ　　　　　補強片
１２　　　　　　　　　　係合部
１４　　　　　　　　　　カードリーダプレート
１４ａ、１４ｂ、１４ｃ　落下防止片
１６　　　　　　　　　　配線挿通孔
１７　　　　　　　　　　荷重支持部
１８　　　　　　　　　　載置片
２０　　　　　　　　　　差込片
２２　　　　　　　　　　差込部
２４　　　　　　　　　　配線コード
ＣＲ　　　　　　　　　　カードリーダ
Ｘ、Ｙ　　　　　　　　　隙間
【図１】
2004049645.tif 000003
【図２】
2004049645.tif 000004
【図３】
2004049645.tif 000005
【図４】
2004049645.tif 000006